(57)【要約】【課題】  内容液をより均一に、スムーズに塗布体に注出することのできる機構の創出を課題とし、もって操作性の優れた液体塗布容器を提供することを目的とする。【解決手段】  容器体中の内容液を塗布体に向けて圧送する加圧操作部を有する液体塗布容器において、塗布体の下に、下端部を逆止弁により仕切った液貯め室を形成し、液貯め室の上部を、中央部に塗布体に連通する吐出口を形成したドーム状頂壁を有する軟質材料製の弾性筒状体で形成し、ドーム状頂壁を、塗布体の被塗布面への押圧により下方に扁平状に弾性変形可能に形成し、加圧操作部の加圧操作により内容液を容器体から液貯め室に圧送し、塗布体への押圧操作により液貯め室内の内容液を塗布体に吐出する構成とする。【選択図】  図１
2005126102.tif 000002
【特許請求の範囲】
【請求項１】
容器体(1)中の内容液を塗布体(51)に向けて圧送する加圧操作部を有する液体塗布容器において、前記塗布体(51)の下に、下端部を逆止弁(33)により仕切った液貯め室(35)を形成し、前記液貯め室(35)の上部を、中央部に前記塗布体(51)に連通する吐出口(37)を形成したドーム状頂壁(39)を有する軟質材料製の弾性筒状体(36)で形成し、前記ドーム状頂壁(39)を、前記塗布体(51)の押圧により下方に扁平状に弾性変形可能に形成し、加圧操作部への加圧操作により内容液を容器体(1)から液貯め室(35)に圧送し、前記塗布体(51)の被塗布面への押圧操作により該液貯め室(35)内の内容液を塗布体(51)に吐出する構成とした液体塗布容器。
【請求項２】
胴部(3)上端から口筒部(2)を起立した容器体(1)と、該容器体(1)の口筒部(2)に嵌着する装着部材(11)と、該装着部材(11)により前記口筒部(2)に装着され、スプリング(18)により上方付勢される押下げ部材(D)を備えた手動式の縦型ポンプ(P)とを有し、該縦型ポンプ(P)を加圧操作部とし、前記押下げ部材(D)の上端部に配置され、内部に吸引路(32)が形成される管状通路体(31)の上端部に逆止弁(33)を介して液貯め室(35)を形成し、弾性筒状体(36)のドーム状頂壁(39)を、塗布体(51)の押圧により前記縦型ポンプ(P)のスプリング(18)を圧縮変形させることなく、液貯め室内(35)の内容液の塗布体(51)への吐出を可能に構成した請求項１記載の液体塗布容器。
【請求項３】
装着部材(11)を口筒部(2)の外面に嵌着させた装着筒部(12)の上端から起立する外筒(13)を有する形状とし、管状通路体(31)の上端部に水密に外嵌組み付き固定する嵌合筒片(42)の上端から外鍔周片を介して挟持筒片(43)を垂下設し、該挟持筒片(43)の下端から底壁を介して前記外筒(13)に内接するガイド筒片(44)を垂下設すると共に、最外部に掴持筒片(45)を立設した形状の押下げ筒片(41)を前記管状通路体(31)に組付き固定し、弾性筒状体(36)の下端部を前記挟持筒片(43)と掴持筒片(45)の間に水密に嵌入して、該弾性筒状体(36)を押下げ筒片(41)に組付き固定し、該押下げ筒片(41)と弾性筒体(36)で液貯め室(35)を形成する構成とし、また、手先で掴持筒片(45)を掴持して、前記ガイド筒片(44)を前記外筒(13)に内接させた状態で、押下げ筒片(41)を下降させて前記縦型ポンプ(P)を作動する構成とした請求項２記載の液体塗布容器。
【請求項４】
容器体(1)をスクイズ変形可能な胴部(3)を有する構成とし、該胴部(3)を加圧操作部とし、前記容器体(1)の口筒部(2)に嵌着する装着部材(11)を介して弾性筒状体(36)を前記容器体(1)に組付き固定する構成とした請求項１記載の液体塗布容器。
【請求項５】
塗布体(51)を交換可能に構成した請求項１、２、３または４記載の液体塗布容器。
【発明の詳細な説明】
【技術分野】
【０００１】
本発明は液体の化粧料等を収納する液体塗布容器に関する。
【背景技術】
【０００２】
液体塗布容器として従来各種、各用途のものが使用されている。ファンデーション、口紅液等の化粧料用向けのものでは液体を収納した容器体の口筒部に、注出小孔を穿設した塗布体を取り付けるか、或いはスポンジ状の塗布体を取付けて、容器体の胴部を押圧して注出小孔から液体を吐出させながら塗布体に液体を含ませて直接被塗布面である唇等の所要の部位に収納液体を塗布するよう形成されているものが多く使用されている。
【０００３】
また、特許文献１は、口紅液を収納する液体塗布容器に関するものであり、容器体に装着させた手動式の縦型ポンプによって塗布体に口紅液を供給するよう形成することで、棒状口紅と同じ要領で口紅液を塗布できるようしたものであり、コイルスプリングで上方付勢された作動部材の先端に取り付けた塗布体を所定の部位に（ここでは唇）に押し付けることにより、作動部材を押し下げて内容液を吸引して塗布体上に吐出させながら所定箇所に塗布することができるものである。
【特許文献１】実用新案登録２５８４７１４号公報
【発明の開示】
【発明が解決しようとする課題】
【０００４】
しかしながら、胴部を直接押圧する方式の液体塗布容器では、胴部への押圧力と被塗布面への押圧力を同時に調整しながら塗布操作を実施する必要があり、スムーズな塗布が困難であった。
【０００５】
また特許文献１に記載された手動式の縦型ポンプを利用する方式の液体塗布容器にあっては、基本的にはシリンダに対してピストンを摺動させながら上下に移動させるため、比較的粘度の高い内容液の場合には内容液の吸引のために作動部材を上方付勢するスプリングの反発力をある程度大きくしておく必要がある。そして、使用する際におけるこのスプリングの反発力に抗して作用させる塗布体の被塗布面への押付け力の調整が難しく、たとえば上面に内容液が過剰に注出されてしまう等の問題により、塗布体上に内容液を均一に、スムーズに注出するのが困難な場合があり、より均一にスムーズに操作できる機構が要求されている。
【０００６】
本発明は上述のごとき課題を解決しようとするものであって、内容液をより均一に、スムーズに塗布体に吐出することのできる機構の創出を課題とし、もって操作性の優れた液体塗布容器を提供することを目的とする。
【課題を解決するための手段】
【０００７】
本発明は前記目的を達成するためになされたものであり、本発明の課題を解決するための手段のうち、請求項１記載の発明の手段は、
容器体中の内容液を塗布体に向けて圧送する加圧操作部を有する液体塗布容器において、塗布体の下に、下端部を逆止弁により仕切った液貯め室を形成すること、液貯め室の上部を、中央部に塗布体に連通する吐出口を形成したドーム状頂壁を有する軟質材料製の弾性筒状体で形成すること、
ドーム状頂壁を、塗布体の押圧により下方に扁平状に弾性変形可能に形成すること、加圧操作部の加圧操作により内容液を容器体から液貯め室に圧送し、塗布体の被塗布面への押圧操作により液貯め室内の内容液を塗布体に吐出する構成とすること、にある。
【０００８】
請求項１記載の上記構成は、塗布体の下に逆止弁で下方の部分と仕切られる液貯め室を設け、加圧操作部への加圧操作により内容液を圧送して液貯め室に供給する機能と、塗布体の被塗布面への押圧操作により弾性筒状体の変形を介して液貯め室に貯まった内容液を塗布体に吐出する機能を分離して発揮せしめることにより、各機能の操作性を良好にすると共に、塗布操作が均一にかつスムーズに達成できるようにしたものである。
【０００９】
本発明の加圧操作部としては、たとえば手動式の縦型ポンプの使用等が考えられるが、ポンプを使用しないでスクイズ変形可能な容器体の胴部を加圧操作部として、内容液を塗布体に向けて圧送することもできる。
【００１０】
内容液が液貯め室に充満した状態で、塗布体を例えば顔等の所定箇所に押し付けると、液貯め室の上部を形成する弾性筒状体のノズル筒片に組付き固定した塗布体が押圧され、ドーム状頂壁が下方に扁平状に変形する。この際液貯め室の下方は逆止弁により閉状態となるので、液貯め室内の内容液はノズル筒片より塗布体に吐出される。
【００１１】
ここで、液貯め室への内容液の供給機能は加圧操作部により分離して発揮される構成であるので、塗布体への吐出機能のみを考慮して、内容液の粘度、塗布操作性等に応じて形状、肉厚、軟質材料の弾性率等によりドーム状頂壁の弾性反発力、内容液の吐出量に関連する液貯め室の減容量等を微調整して設計することができ、手先で微妙に被塗布面への押圧力を調整しながら塗布体を所定部位へ押付けて、所望の量の内容液を吐出させながらスムーズに塗布操作を達成することが可能となる。
【００１２】
そして、液貯め室への内容液の供給は加圧操作部による加圧操作により達成され、この操作により内容液は容器体から逆止弁を経て液貯め室に圧送される。
【００１３】
請求項２記載の発明の手段は、
胴部上端から口筒部を起立した容器体と、この容器体の口筒部に嵌着する装着部材と、この装着部材により口筒部に装着され、スプリングにより上方付勢される押下げ部材を備えた手動式の縦型ポンプとを有すること、
該縦型ポンプを加圧操作部とすること、
押下げ部材の上端部に配置され、内部に吸引路が形成される管状通路体の上端部に逆止弁を介して液貯め室を形成すること、
弾性筒状体のドーム状頂壁を、塗布体の押圧により縦型ポンプのスプリングを圧縮変形させることなく、液貯め室内の内容液の塗布体への吐出を可能に構成すること、にある。
【００１４】
請求項２記載の上記構成は、縦型ポンプを加圧操作部とした構成であり、縦型ポンプの上端部に、逆止弁で下方の部分と仕切られる液貯め室を設け、縦型ポンプには容器体の内容液を吸引して液貯め室に供給する機能を、また液貯め室の上部を形成する弾性筒状体には液貯め室に貯まった内容液を塗布体に吐出する機能を分担して発揮せしめることにより、各機能の操作性を良好にすると共に、塗布操作が均一にかつスムーズに達成できるようにしたものである。
【００１５】
内容液が液貯め室に充満した状態で、塗布体を例えば顔等の所定箇所に押し付けると、液貯め室の上部を形成する弾性筒状体のノズル筒片に組付き固定した塗布体が押圧され、ドーム状頂壁が下方に扁平状に変形する。この際液貯め室の下方は逆止弁により閉状態となるので、液貯め室内の内容液はノズル筒片より塗布体に吐出される。
【００１６】
またここで、ドーム状頂壁を、塗布体の押圧により縦型ポンプのスプリングを圧縮変形させることなく、下方に扁平状に弾性変形可能に形成しているので、塗布操作中に縦型ポンプが機能することはない。
【００１７】
また、縦型ポンプの機能に必要なたとえばスプリングの反発力、変形ストローク等の設定値に制限されることなく、内容液の粘度、塗布方法等に応じて形状、肉厚、軟質材料の弾性率等によりドーム状頂壁の弾性反発力、内容液の吐出量に関連する液貯め室の減容量等を微調整することが可能である。
【００１８】
また縦型ポンプのスプリングに抗して塗布体を下降させるわけではないので、縦型ポンプを利用した従来の液体吐出容器よりもかなり小さな押圧力で塗布体への吐出ができ、手先で微妙に被塗布面への押圧力を調整しながら塗布体を所定部位へ押付けて、所望の量の内容液を吐出させながらスムーズに塗布操作を達成できる。
【００１９】
そして、液貯め室への内容液の供給は押下げ部材を下方に押し下げる操作により達成される。すなわちこの操作により縦型ポンプが機能して、押下げ部材の上端部に配置される管状通路体、逆止弁を経て内容液が液貯め室に圧送される。
【００２０】
ここで、縦型ポンプの構成は化粧料、シャンプー等の吐出容器等の口筒部に取り付けられて従来より使用されているポンプを使用することができるが、塗布体の被塗布面への内容液の吐出性等を考慮することなく、たとえばスプリングの反発力、ストローク、シリンダとピストンの構成等を液貯め室への内容液の供給操作性のみを考慮して最適に選択することができる。
【００２１】
請求項３記載の発明の手段は請求項２記載の発明において、
装着部材を口筒部の外面に嵌着させた装着筒部の上端から起立する外筒を有する形状とすること、
管状通路体の上端部に水密に外嵌組み付き固定する嵌合筒片の上端から外鍔周片を介して挟持筒片を垂下設し、この挟持筒片の下端から底壁を介して外筒に内接するガイド筒片を垂下設すると共に、最外部に掴持筒片を立設した形状の押下げ筒片を管状通路体に組付き固定すること、
弾性筒状体の下端部を挟持筒片と掴持筒片の間に水密に嵌入して、この弾性筒状体を押下げ筒片に組付き固定し、押下げ筒片と弾性筒体で液貯め室を形成すること、また、手先で掴持筒片を掴持して、ガイド筒片を外筒に内接させた状態で、押下げ筒片を下降させて縦型ポンプを作動する構成とすること、
にある。
【００２２】
請求項３記載の上記構成は、装着部材、液貯め室、縦型ポンプの押下げ部材を押下げるためのより具体的な構成である。
押下げ筒片を介して管状通路体の上端部に弾性筒状体を確実に組付き固定させることができると共に弾性筒状体の姿勢を安定的に確保することができる。また掴持筒片を手先で掴みながら、ガイド筒片を装着部材の外筒に沿わせて、容易にかつ安定した姿勢で押下げ部材の押下げ操作を実施することができる。
【００２３】
請求項４記載の発明の手段は、請求項１記載の発明において、容器体をスクイズ変形可能な胴部を有する構成とすること、胴部を加圧操作部とすること、容器体の口筒部に嵌着する装着部材を介して弾性筒状体を前記容器体に組付き固定する構成とすること、にある。
【００２４】
請求項４記載の上記構成は、容器体をスクイズ変形可能な胴部を有するものとして、この胴部を加圧操作部とした構成であり、容器体の胴部を押圧する（スクイズ変形させる）ことにより、内容液を圧送して液貯め室に供給することができ、ポンプ等の特別な加圧操作部を使用することなく、簡単な構造で塗布操作性に優れた液体塗布容器を提供することができる。
【００２５】
請求項５記載の発明の手段は、請求項１、２、３または４記載の発明において、塗布体を交換可能に構成すること、にある。
【００２６】
請求項５記載の上記構成により、塗布体であるスポンジ等が目詰まりしたり、汚れたり、使用により塗布体が擦り切れたり破損した際に交換して使用できるので、使い勝手の良好な液体吐出容器を提供することができる。
【発明の効果】
【００２７】
本発明は上記した方法および構成となっているので、以下に示す効果を奏する。
請求項１記載の発明にあっては、内容液を圧送して液貯め室に供給する機能と、液貯め室に貯まった内容液を塗布体に吐出する機能を分離して発揮せしめることにより、塗布体への吐出機能のみを考慮して、ドーム状頂壁の弾性反発力等を微調整して設計することができ、手先で微妙に押圧力を調整しながら塗布体を所定部位へ押付けて、所望の量の内容液を吐出させながらスムーズに塗布操作を達成することが可能となる。
【００２８】
請求項２記載の発明にあっては、縦型ポンプの機能に必要なたとえばスプリングの反発力、変形ストローク等の設定値に制限されることなく、ドーム状頂壁の弾性反発力、内容液の吐出量に関連する液貯め室の減容量等を内容液の粘度、使用目的等に応じて最適に微調整して選択することができる。
【００２９】
また逆に、縦型ポンプは塗布体への内容液の吐出性等を考慮することなく、たとえばスプリングの反発力、ストローク、シリンダとピストンの構成等を液貯め室への内容液の供給操作性のみを考慮して最適に選択することができる。
【００３０】
すなわち、縦型ポンプには容器体の内容液を吸引して液貯め室に供給する機能を、また液貯め室の上部を形成する弾性筒状体には液貯め室に貯まった内容液を塗布体に吐出する機能を分担して発揮せしめることにより、内容液の吸引操作および塗布操作を共に良好に達成でき、たとえば塗布体上に内容液を過剰に注出してしまうこともなく、より均一にスムーズに塗布操作を達成することができる。
【００３１】
請求項３記載の発明にあっては、弾性筒状体を管状筒状体の上端部に確実に組付き固定させることができると共に、その姿勢を安定して確保することができる。また掴持筒片を手先で掴みながら、ガイド筒片を装着部材の外筒に沿わせて容易にかつ安定した姿勢で押下げ部材の押下げ操作を実施することができる。
【００３２】
請求項４記載の発明にあっては、スクイズ変形可能な容器体の胴部を押圧することにより、内容液を圧送して液貯め室に供給することができ、ポンプ等の特別な加圧操作部を使用することなく、簡単な構造で塗布操作性に優れた液体塗布容器を提供することができる。
【００３３】
請求項５記載の発明にあっては、塗布体を交換可能に構成することにより、塗布体であるスポンジ等が目詰まりしたり、汚れたり、使用により擦り切れたり破損した際に交換して使用でき、使い勝手の良好な液体塗布容器を提供することができる。
【発明を実施するための最良の形態】
【００３４】
以下、本発明の実施の形態を図面を参照しながら説明する。
図１〜図３は本発明の液体塗布容器の第１実施例を示す半縦断正面図あり、図１は使用前の状態であり、図２は塗布体５１を押圧した状態を示し、図３は縦型ポンプＰの押下げ部材Ｄを押下げた状態を示す。
【００３５】
本実施例の液体塗布容器の主な構成部材は、容器体１と、容器体１の口筒部２に螺合組付きする装着部材１１と、装着部材１１により容器体１に組付く縦型ポンプＰと、縦型ポンプＰの上端部で液貯め室３５を形成する押下げ筒片４１および弾性筒状体３６、そして弾性筒状体３６のノズル筒片３８の上端部に組み付く塗布体５１である。
【００３６】
容器体１は円筒状の胴部３の上端部に口筒部２を有し、底部４は胴部３の下部内面に水密に嵌合する底蓋５を有し、この底蓋５は内容液の減少に伴う胴部３内の負圧化により上方に摺動しながら移動する。また底部４には通気孔７を形成した底カバー６を外嵌している。
【００３７】
装着部材１１は口筒部２にパッキン２０により水密に螺合組付きし、中央部を開口した頂壁を有する円筒状の装着筒１２を有し、頂壁の周縁部近傍から外筒１３を起立設し、また開口縁部に後述するシリンダ１５の上端部を挟持して嵌合する二重筒片１４を設けた形状としている。
【００３８】
縦型ポンプＰは前記した装着部材１１により容器体１に組付き固定されるシリンダ１５と、円筒状の管状通路体３１および透孔１７が形成されたピストンガイド１９からなる押下げ部材Ｄと、上下方向への摺動可能にシリンダ１５に内接およびピストンガイド１９に外接するリング状のピストン１６と、ピストンガイド１９の下端面に当接して押下げ部材Ｄを上方付勢するコイル状のスプリング１８と、シリンダ１５の下端開口部を開閉する機能を有するバルブ２１から構成される。
【００３９】
なお、上記縦型ポンプＰの構成は単なる一例として示したものであり、縦型ポンプあるいは口筒部への取り付け方法等は本実施例に限定されるものではなく、従来より化粧料、シャンプー等の吐出容器等に口筒部に取り付けられて使用されている手動の縦型ポンプを、使用目的に合せて選択して使用することができる。
【００４０】
押下げ筒片４１は嵌合筒片４２により管状通路体３１の上端部に組付き固定し、嵌合筒片４２の上端から外鍔周片を介して挟持筒片４３を垂下設し、この掴持筒片４３の下端から底壁を介して装着部材１１の外筒１３に内接するガイド筒片４４を垂下設すると共に、最外部に掴持筒片４５を起立設した形状である。
【００４１】
弾性筒状体３６はたとえば天然ゴム、熱可塑性のポリオレフィン系、ポリエステル系等の軟質の合成樹脂等の軟質材料製であり中央部に吐出口３７を形成したドーム状頂壁３９を有する円筒状であり、吐出口３７の開口縁部からノズル筒片３８を起立設したものである。
【００４２】
押下げ部材Ｄの管状通路体３１の上端部に押下げ筒片４１の嵌合筒片４２を外嵌組付き固定し、弾性筒状体３６の下端部を挟持筒片４３と掴持筒片４５の間に水密に嵌入して、弾性筒状体３６を押下げ筒片４１に組付き固定される。また、玉弁３４はこれら押下げ筒片４１と弾性筒状体３６と管状通路体３１の内部に設置され、吸引路３２において逆止弁３３の機能を発揮する。そして、押下げ筒片４１と弾性筒状体３６と管状通路体３１と玉弁３４とにより液貯め室３５が形成される。
【００４３】
本実施例においてはスポンジ状の塗布体５１を用いており、受け皿筒片５３を介して弾性筒状体３６のノズル筒片３８の上端部に組付けられる。また塗布性の向上のためスポンジ状の塗布体５１の上面をメッシュ状のカバー材５２で覆った構成としている。固定筒片５４はこのカバー材５２を固定するための部材である。
また、図１では通常使用されるカバーキャップＣを２点鎖線で示している。
【００４４】
なお、塗布体５１は本実施例の形状、材質等に限定されるものでなく、内容液の粘度、被塗布面への塗布性、たとえば押圧した際に顔面等に与えるの感触等を考慮して形状、弾力性等の材質、吐出路の形状等を適宜選択して使用することができる。
【００４５】
上記のような部材から形成される本実施例の液体塗布容器に関して、以下使用形態を説明する。
内容液がノズル筒片３８まで充満した状態（図１参照）から、塗布体５１（カバー材５２）を顔面等の被塗布面に押し当てると、弾性筒状体３６のドーム状頂壁３９が扁平状に変形するが（図２参照）、この際玉弁３４は閉状態となるので液貯め室３５の減容に伴って液貯め室３５内の内容液はノズル筒片３８から吐出されスポンジ状の塗布体５１中の連続気泡により形成された吐出路を通じてメッシュ状のカバー材５２上に移動する。
【００４６】
ここで、縦型ポンプＰには容器体１の内容液を吸引して液貯め室３５に供給する機能を、また弾性筒状体３６には液貯め室３５に貯まった内容液を塗布体５１上に吐出する機能を分離して発揮せしめるために、縦型ポンプＰのスプリング１８の反撥力に比較して塗布操作における塗布体５１を下降させるために要する押圧力を小さくして、上記塗布操作において縦型ポンプＰの機能は発揮されないように構成している。
【００４７】
なお通常縦型ポンプＰはスプリング１８の反発力によりシリンダ１５とピストン１６との摺動抵抗、内容液の吸引抵抗等に抗して一端押し下げられた押下げ部材Ｄを上方に押上げる機構のため、スプリング１８の反発力は上記塗布体５１を下降させるために要する押圧力に比較的して大きなものとなるので、上記のスプリング１８の反発力より塗布体５１を下降させるために要する押圧力を小さくするという構成は、容易に達成することができる。
【００４８】
次に液貯め室３５への内容液の供給は押下げ筒片４１の掴持筒片４５を手先で掴持して、押下げ筒片４１を下方に押下げる操作により達成される。すなわちこの操作により縦型ポンプＰが機能して、内容液が玉弁３４を経て液貯め室３５に圧送される。（図３参照）
【００４９】
そして押下げ筒片４１への押下げ力を解消するとスプリング１８の反発力により押下げ部材Ｄが上方に押し戻されると共に、縦型ポンプＰ内に容器体１中の内容液が吸引され、この吸引に伴って底蓋５が胴部３内を上昇し、この底蓋５が上昇した分底カバー６の通気孔７から外気が進入する。この際容器体１内への外気の進入はない。
【００５０】
ここで、本実施例では底蓋５を用いた構成としているが、勿論のことではあるが、使用目的に応じて通常の壜体の底部４を有する容器体１を使用することができ、その際にはシリンダ１５の先端にパイプを延設して底壁まで吸引できるようにする。
【００５１】
図４は塗布体５１を交換可能に構成した例を示し、図１に示すノズル筒片３８と受け皿筒片５３の間に螺合筒片５５を介在させて、塗布体５１と、カバー材５２、受け皿筒片５３および固定筒片５４を一体として交換可能としたものであり、塗布体５１あるいはカバー材５２で内容液が固まった場合、塗布面が汚れた場合、塗布体が変形、破損、擦りきれてしまった場合等において交換して使用することができる。
【００５２】
なお、この例では塗布体５１は軟質材料製であり、中央部に吐出路５６が形成された形状であり、たとえばファンデーション液等の粘度の比較的高い内容液においては流動抵抗を小さくすることができる。またここでカバー材５２は内容液を塗布体の外表面全体に行き渡らせる機能等を有するが、必要に応じて使用されるものであり、内容液の性質によっては塗布体５１を直接被塗布面に押し当てる。
【００５３】
図５は本発明の液体塗布容器の第２実施例を示すものであり、容器体１にその胴部３がスクイズ変形可能なチューブ容器８を使用して、このチューブ容器８の胴部３を押圧して（スクイズして）チューブ容器８内の内容液を液貯め室３５に供給する構成とした例である。
【００５４】
チューブ容器８の口筒部２に装着部材１１の装着筒１２を水密に螺合組付けし、装着筒１２と外筒１３の間に弾性筒状体３６の下端部を嵌入し、また外筒１３に塗布体５１の上下動のガイドなるサポート筒片４６を組付き固定している。
【００５５】
また、本実施例ではスポンジ状の塗布体５１を結束帯５１ａを用いて弾性筒状体３６のノズル筒片３８に直接組付けた構成としており、また口筒部２内に逆止弁３３の機能を発揮せしめるべく弁体筒片３４ａと共に玉弁３４を配設した構成としており、チューブ容器８の胴部２を押圧することにより内容液が玉弁３４を介して液貯め室３５に供給されると共に、胴部３が減容変形する。
【００５６】
なお、本第２実施例では、容器体１としてチューブ容器８を使用しているが、この他にもたとえば、スクイズ変形可能で、復元自在な可撓性を有する外殻層と、萎み変形自在に減容変形する内層を剥離可能に積層してブロー成形された容器、所謂デラミ容器等のスクイズ変形可能な容器を使用することができる。
【産業上の利用可能性】
【００５７】
ファンデーション液等の比較的粘度の高い内容液においても、内容液の圧送操作および塗布操作を共に良好に達成でき、たとえば塗布体上に内容液を過剰に注出しまうこともなく、手先で微妙に被塗布面への押圧力を調整しながら塗布体を所定部位へ押付けて、所望の量の内容液を吐出させながらスムーズに塗布操作のできる液体塗布容器を提供することができる。。
【図面の簡単な説明】
【００５８】
【図１】本発明の液体塗布容器の第１実施例を示す、半縦断正面図である。
【図２】図１に示す液体塗布容器において塗布体を押圧した状態を示す、半縦断正面図である。
【図３】図１に示す液体塗布容器において縦型ポンプの押下げ部材を押下げた状態を示す、半縦断正面図である。
【図４】塗布体を取り外し可能に構成した例を示す、縦断面図。
【図５】本発明の液体塗布容器の第２実施例を一部破断して示す、正面図である。
【符号の説明】
【００５９】
１  ；容器体
２  ；口筒部
３  ；胴部
４  ；底部
５  ；底蓋
６  ；底カバー
７  ；通気孔
８  ；チューブ容器
１１；装着部材
１２；装着筒
１３；外筒
１４；二重筒片
１５；シリンダ
１６；ピストン
１７；透孔
１８；スプリング
１９；ピストンガイド
２０；パッキン
２１；バルブ
２２；パイプ
３１；管状通路体
３２；吸引路
３３；逆止弁
３４；玉弁
３４ａ；弁体筒片
３５；液貯め室
３６；弾性筒状体
３７；吐出口
３８；ノズル筒片
３９；ドーム状頂壁
４１；押下げ筒片
４２；嵌合筒片
４３；挟持筒片
４４；ガイド筒片
４５；掴持筒片
４６；サポート筒片
５１；塗布体
５１ａ；結束帯
５２；カバー材
５３；受け皿筒片
５４；固定筒片
５５；螺合筒片
５６；吐出路
Ｃ  ；カバーキャップ
Ｄ  ；押下げ部材
Ｐ  ；縦型ポンプ
【図１】
2005126102.tif 000003
【図２】
2005126102.tif 000004
【図３】
2005126102.tif 000005
【図４】
2005126102.tif 000006
【図５】
2005126102.tif 000007